(57)【特許請求の範囲】
【請求項１】
走行する磁気テープの信号記録面に対向配置されるヘッド支持体と、上記磁気テープの信号記録面に一部を対向させて、上記磁気テープの幅方向に沿って上記ヘッド支持体上に配設されたｍ個（ｍは２以上の整数）の磁気ヘッド素子と、上記ｍ個の各磁気ヘッド素子毎に、上記磁気テープの信号記録面と直交する方向に沿って上記ヘッド支持体上にｎ個（ｎは２以上の整数）ずつ配設され、外部回路と上記磁気ヘッド素子とを電気的に接続するための接続端子部とを備える磁気ヘッドと、
上記磁気ヘッドのｍ個の磁気ヘッド素子に対応してｍ個の配線パターンがそれぞれ形成されたｎ枚の配線基板と、
一端側に設けられた第１の接点部を上記磁気ヘッドの接続端子部に当接させ、他端側に設けられた第２の接点部を上記配線基板の配線パターンに当接させて、上記磁気ヘッドの接続端子部と上記配線基板の配線パターンとを電気的に接続させるｍ×ｎ個の導電性バネ部材と、
上記ｍ×ｎ個の導電性バネ部材を隣り合う導電性バネ部材間の絶縁を図りながら支持するバネ支持部材とを備え、
上記バネ支持部材は、少なくともｍ個の導電性バネ部材を一体に支持するｎ個の部分、又は、少なくともｎ個の導電性バネ部材を一体に支持するｍ個の部分が、積層されてなる磁気ヘッド装置。
【請求項２】
上記バネ支持部材が、少なくともｍ個の導電性バネ部材を一体に支持するｎ個の部分が積層されてなるとき、該バネ支持部材のｎ個の部分のそれぞれの厚みが、上記磁気テープの信号記録面と直交する方向に沿って配設された接続端子部間の距離と略等しい請求項１記載の磁気ヘッド装置。
【請求項３】
上記バネ支持部材が、少なくともｎ個の導電性バネ部材を一体に支持するｍ個の部分が積層されてなるとき、該バネ支持部材のｍ個の部分のそれぞれの厚みが、上記磁気テープの幅方向に沿って配設された磁気ヘッド素子間の距離と略等しい請求項１記載の磁気ヘッド装置。
【請求項４】
上記磁気ヘッドは、上記磁気ヘッド素子として、磁気誘導型の磁気ヘッド素子と磁気抵抗効果型の磁気ヘッド素子とが積層されてなる複合型磁気ヘッド素子を備える請求項１記載の磁気ヘッド装置。
【請求項５】
上記導電性バネ部材は、上記第１の接点部を上記磁気ヘッドの接続端子部側に付勢して、この第１の接点部を弾性変位させた状態で上記接続端子部に当接させ、上記第２の接点部を上記配線基板の配線パターン側に付勢して、この第２の接点部を弾性変位させた状態で上記配線パターンに当接させる請求項１記載の磁気ヘッド装置。
【請求項６】
上記配線基板に設けられた隣り合う配線パターン間の間隔は、上記導電性バネ部材の第２の接点部が当接する一端側よりも他端側の方が大とされている請求項１記載の磁気ヘッド装置。
【請求項７】
上記磁気ヘッドを複数備える請求項１記載の磁気ヘッド装置。
【請求項８】
走行する磁気テープの信号記録面に対向配置されるヘッド支持体と、上記磁気テープの信号記録面に一部を対向させて、上記磁気テープの幅方向に沿って上記ヘッド支持体上に配設されたｍ個（ｍは２以上の整数）の磁気ヘッド素子と、上記ｍ個の各磁気ヘッド素子毎に、上記磁気テープの信号記録面と直交する方向に沿って上記ヘッド支持体上にｎ個（ｎは２以上の整数）ずつ配設され、外部回路と上記磁気ヘッド素子とを電気的に接続するための接続端子部とを備える磁気ヘッドと、
上記磁気ヘッドのｍ個の磁気ヘッド素子に対応してｍ個の配線パターンがそれぞれ形成されたｎ枚の配線基板と、
一端側に設けられた第１の接点部を上記磁気ヘッドの接続端子部に当接させ、他端側に設けられた第２の接点部を上記配線基板の配線パターンに当接させて、上記磁気ヘッドの接続端子部と上記配線基板の配線パターンとを電気的に接続させるｍ×ｎ個の導電性バネ部材と、
上記ｍ×ｎ個の導電性バネ部材を隣り合う導電性バネ部材間の絶縁を図りながら支持するバネ支持部材とを備え、
上記磁気ヘッドのｎ個の接続端子部のうち上記磁気テープの信号記録面に近接する側に配設された接続端子部に接続される導電性バネ部材の長さが、上記ｎ個の接続端子部のうち上記磁気テープの信号記録面から離間する側に配設された接続端子部に接続される導電性バネ部材の長さよりも大とされている磁気ヘッド装置。
【請求項９】
走行する磁気テープの信号記録面に対向配置されるヘッド支持体と、上記磁気テープの信号記録面に一部を対向させて、上記磁気テープの幅方向に沿って上記ヘッド支持体上に配設されたｍ個（ｍは２以上の整数）の磁気ヘッド素子と、上記ｍ個の各磁気ヘッド素子毎に、上記磁気テープの信号記録面と直交する方向に沿って上記ヘッド支持体上にｎ個（ｎは２以上の整数）ずつ配設され、外部回路と上記磁気ヘッド素子とを電気的に接続するための接続端子部とを備える磁気ヘッドと、
上記磁気ヘッドのｍ個の磁気ヘッド素子に対応してｍ個の配線パターンがそれぞれ形成されたｎ枚の配線基板と、
一端側に設けられた第１の接点部を上記磁気ヘッドの接続端子部に当接させ、他端側に設けられた第２の接点部を上記配線基板の配線パターンに当接させて、上記磁気ヘッドの接続端子部と上記配線基板の配線パターンとを電気的に接続させるｍ×ｎ個の導電性バネ部材と、
上記ｍ×ｎ個の導電性バネ部材を隣り合う導電性バネ部材間の絶縁を図りながら支持するバネ支持部材とを備え、
上記バネ支持部材には、支持する導電性バネ部材の数に対応して複数の溝部が設けられており、
上記導電性バネ部材は、上記バネ支持部材に設けられた溝部に収納されることにより、上記第１及び第２の接点部以外の動きが規制される磁気ヘッド装置。
【請求項１０】
走行する磁気テープの信号記録面に対向配置されるヘッド支持体と、上記磁気テープの信号記録面に一部を対向させて、上記磁気テープの幅方向に沿って上記ヘッド支持体上に配設されたｍ個（ｍは２以上の整数）の磁気ヘッド素子と、上記ｍ個の各磁気ヘッド素子毎に、上記磁気テープの信号記録面と直交する方向に沿って上記ヘッド支持体上にｎ個（ｎは２以上の整数）ずつ配設され、外部回路と上記磁気ヘッド素子とを電気的に接続するための接続端子部とを備える磁気ヘッドと、
上記磁気ヘッドのｍ個の磁気ヘッド素子に対応してｍ個の配線パターンがそれぞれ形成されたｎ枚の配線基板と、
一端側に設けられた第１の接点部を上記磁気ヘッドの接続端子部に当接させ、他端側に設けられた第２の接点部を上記配線基板の配線パターンに当接させて、上記磁気ヘッドの接続端子部と上記配線基板の配線パターンとを電気的に接続させるｍ×ｎ個の導電性バネ部材と、
上記ｍ×ｎ個の導電性バネ部材を隣り合う導電性バネ部材間の絶縁を図りながら支持するバネ支持部材とを備え、
上記配線基板には、上記導電性バネ部材の第２の接点部が当接する上記配線パターンの一端側が位置する箇所に溝部が設けられている磁気ヘッド装置。
【発明の詳細な説明】
【０００１】
【発明の属する技術分野】
本発明は、走行する磁気テープの幅方向に沿って複数の磁気ヘッド素子が設けられた磁気ヘッドを備える磁気ヘッド装置に関する。
【０００２】
【従来の技術】
従来、磁気テープを記録媒体として用いた記録再生システムが普及している。この磁気テープを記録媒体として用いた記録再生システムとしては、磁気ヘッド素子を回転ドラムに搭載し、回転操作される回転ドラムの周面に沿って磁気テープを走行させて、磁気テープ上を高速で摺動する磁気ヘッド素子によりこの磁気テープに対してデータの書き込み及び読み出しを行うヘリカルスキャン方式の記録再生システムと、磁気ヘッド素子を固定されたヘッド支持部材に搭載し、この固定されたヘッド支持部材上を摺動するように磁気テープを走行させて、固定された磁気ヘッド素子により磁気テープに対してデータの書き込み及び読み出しを行うリニア方式の記録再生システムとが知られている。
【０００３】
【発明が解決しようとする課題】
ヘリカルスキャン方式の記録再生システムは、上述したように磁気ヘッド素子が磁気テープ上を高速で摺動するので、磁気ヘッド素子と磁気テープとの相対速度が速く、高速でデータの記録再生を行うことができるという利点を有する。その一方で、ヘリカルスキャン方式の記録再生システムには、磁気ヘッド素子が磁気テープ上を高速で摺動することにより、磁気ヘッド素子の摩耗量が多く、磁気ヘッド素子の寿命が短いという問題点がある。
【０００４】
これに対して、リニア方式の記録再生システムは、上述したように磁気ヘッド素子が固定されているので、ヘリカルスキャン方式の記録再生システムと比較して、磁気ヘッド素子の摩耗量が少なく、磁気ヘッド素子の寿命が長いという利点がある。
【０００５】
しかしながら、リニア方式の記録再生システムは、磁気ヘッド素子が固定されているために、磁気ヘッド素子と磁気テープとの相対速度が磁気テープの走行速度によって決まってしまう。そして、磁気テープの走行速度に限界があることから、リニア方式の記録再生システムでは、磁気ヘッド素子と磁気テープとの相対速度を向上させることが困難である。
【０００６】
ところで、磁気ヘッド素子と磁気テープとの相対速度に依存せずにデータの記録再生速度の高速化を図るためには、多数個の磁気ヘッド素子を磁気テープの幅方向に沿って配列し、これら多数個の磁気ヘッド素子により磁気テープに対して同時にデータを記録再生する方法が考えられる。
【０００７】
しかしながら、この場合、磁気テープの幅は所定の幅に規格化されているために、磁気ヘッド素子の個数を多くすればするほど各磁気ヘッド素子間の間隔が小さくなることになる。そして、リニア方式の記録再生システムにおいて、ヘリカルスキャンの記録再生方式と同程度、或いはそれ以上の高速記録再生を可能とする程度に磁気ヘッド素子の個数を増やすと、各磁気ヘッド素子間の間隔が非常に微細なものとなり、各磁気ヘッド素子と外部回路とを接続するための接続端子部が、非常に密に形成されることになる。
【０００８】
以上のように接続端子部が非常に密に形成された状態では、従来一般に行われていたようなワイヤボンディング等の方法で接続端子部と外部回路とを電気的に接続させようとすると、作業が非常に煩雑である上、ボンディング用のはんだが隣り合う接続端子部にまで流れ込み、隣り合う接続端子部間に電気的短絡が生じてしまう場合がある。
【０００９】
そこで、本発明は、磁気ヘッド素子の個数が多い場合であっても、磁気ヘッド素子と外部回路との電気的接続を適切且つ簡便に行うことが可能な磁気ヘッドを用いた磁気ヘッド装置を提供することを目的とする。
【００１６】
【課題を解決するための手段】
また、本発明に係る磁気ヘッド装置は、走行する磁気テープの信号記録面に対向配置されるヘッド支持体と、上記磁気テープの信号記録面に一部を対向させて、上記磁気テープの幅方向に沿ってヘッド支持体上に設けられたｍ個（ｍは２以上の整数）の磁気ヘッド素子と、これらｍ個の磁気ヘッド素子の各磁気ヘッド素子毎に、上記磁気テープの信号記録面と直交する方向に沿ってヘッド支持体上にｎ個（ｎは２以上の整数）ずつ設けられ、外部回路と磁気ヘッド素子とを電気的に接続するための接続端子部とを備える磁気ヘッドと、この磁気ヘッドのｍ個の磁気ヘッド素子に対応してｍ個の配線パターンがそれぞれ形成されたｎ枚の配線基板と、一端側に設けられた第１の接点部を磁気ヘッドの接続端子部に当接させ、他端側に設けられた第２の接点部を配線基板の配線パターンに当接させて、磁気ヘッドの接続端子部と配線基板の配線パターンとを電気的に接続させるｍ×ｎ個の導電性バネ部材と、これらｍ×ｎ個の導電性バネ部材を隣り合う導電性バネ部材間の絶縁を図りながら支持するバネ支持部材とを備え、このバネ支持部材は、少なくともｍ個の導電性バネ部材を一体に支持するｎ個の部分、又は、少なくともｎ個の導電性バネ部材を一体に支持するｍ個の部分が、積層されてなる。
【００１７】
磁気ヘッドは、走行する磁気テープの信号記録面に対向配置されるヘッド支持体を備えており、このヘッド支持体上に、ｍ個の磁気ヘッド素子がその一部をそれぞれ磁気テープの信号記録面に対向させ、磁気テープの幅方向に沿って配列して設けられている。これにより、磁気ヘッドは、ｍ個の磁気ヘッド素子により、磁気テープに対してｍトラック分を一度に記録再生することができるようになされている。
【００１８】
また、磁気ヘッドは、ヘッド支持体上に、ｍ個の各磁気ヘッド素子毎にｎ個ずつの接続端子部が設けられている。磁気ヘッドは、これらｎ個の接続端子部が、ヘッド支持体が対向配置される磁気テープの信号記録面と直交する方向に沿って配列されていることにより、ヘッド支持体上の領域が効率的に使用され、各接続端子部間の間隔を大きくすることができるようになされている。
【００１９】
磁気ヘッドの備えるｍ×ｎ個の接続端子部には、それぞれ導電性バネ部材の一端側に設けられた第１の接点部が当接されている。この第１の接点部が磁気ヘッドの備える接続端子部に当接する各導電性バネ部材の他端側に設けられた第２の接点部は、それぞれ配線基板の配線パターンに当接されている。これにより、磁気ヘッドの備える接続端子部と、配線基板の配線パターンとが、導電性バネ部材を介して電気的に接続されている。
【００２０】
そして、これらｍ×ｎ個の導電性バネ部材は、バネ支持部材により支持されている。バネ支持部材は、これらｍ×ｎ個の導電性バネ部材を隣り合う導電性バネ部材間の絶縁を図りながら支持している。
【００２１】
配線基板には、磁気ヘッドのｍ個の磁気ヘッド素子に対応してｍ個の配線パターンが形成されている。そして、ｍ個の各磁気ヘッド素子毎に１つの接続端子部が、１枚の配線基板に形成されたｍ個の配線パターンに、それぞれ導電性バネ部材を介して電気的に接続されている。本発明に係る磁気ヘッド装置は、ｎ枚の配線基板を備え、ｍ個の各磁気ヘッド素子毎にｎ個ずつ設けられたｍ×ｎ個の接続端子部が、これらｎ枚の配線基板に形成された配線パターンに、それぞれ導電性バネ部材を介して電気的に接続されるようになされている。
【００２２】
ｎ枚の配線基板は、それぞれ、例えば、磁気ヘッドの備える磁気ヘッド素子により磁気テープに書き込むべき記録信号を生成し、又は磁気ヘッド素子により磁気テープから読み出されたデータに基づいて再生信号を生成する信号処理回路等の外部回路に接続される。したがって、本発明に係る磁気ヘッド装置は、磁気ヘッドの備える磁気ヘッド素子が、接続端子部、導電性バネ部材、配線基板の配線パターンを介して外部接続回路に電気的に接続されることになる。
【００２３】
この磁気ヘッド装置は、以上のように、磁気ヘッドの各接続端子部間の間隔が大きくされていることにより、或いは、磁気ヘッドの各接続端子部に導電性バネ部材の第１の接点部が当接され配線基板の配線パターンに導電性バネ部材の第２の接点部が当接されることにより各接端子部と配線パターンとが電気的に接続されていることにより、或いは、各導電性バネ部材がバネ支持部材に支持されこのバネ支持部材により隣り合う導電性バネ部材間の絶縁が図られていることにより、或いは、ｎ×ｍ個の導電性バネ部材が当接されるｎ×ｍ個の配線パターンがｍ個ずつｎ枚の配線基板に分散されて形成されていることにより、或いは、バネ支持部材が少なくともｍ個の導電性バネ部材を一体に支持するｎ個の部分が積層されてなることにより、或いは、バネ支持部材が少なくともｎ個の導電性バネ部材を一体に支持するｍ個の部分が積層されてなることにより、或いは、以上の相乗効果により、磁気ヘッドの備える磁気ヘッド素子と外部回路との電気的接続を適切且つ簡便に行うことができる。
【００２５】
バネ支持部材を以上のような構成とすることにより、導電性バネ部材をバネ支持部材に取り付ける作業が簡便に行えることになる。
【００２６】
また、本発明に係る磁気ヘッド装置においては、導電性バネ部材が、第１の接点部を磁気ヘッドの接続端子部側に付勢して、この第１の接点部を弾性変位させた状態で接続端子部に当接させ、第２の接点部を配線基板の配線パターン側に付勢して、この第２の接点部を弾性変位させた状態で配線パターンに当接させることが望ましい。
【００２７】
導電性バネ部材は、以上のような構成とされることにより、第１の接点部と磁気ヘッドの接続端子部との接続状態及び第２の接点部と配線基板の配線パターンとの接続状態を良好に保つことができる。
【００３０】
また、本発明に係る磁気ヘッド装置においては、バネ支持部材に、支持する導電性バネ部材の数に対応して複数の溝部が設けられており、導電性バネ部材は、このバネ支持部材に設けられた溝部に収納されることにより、第１及び第２の接点部以外の動きが規制されることが望ましい。
【００３１】
以上のように、導電性バネ部材がバネ支持部材に設けられた溝部に収納され、第１及び第２の接点部以外の動きが規制されることにより、隣接する導電性バネ部材同士が接触し、これらの間に電気的短絡が生じるといった不都合を未然に防止することができる。
【００３４】
また、本発明に係る磁気ヘッド装置においては、配線基板の導電性バネ部材の第２の接点部が当接する配線パターンの一端側が位置する箇所に溝部が設けられていることが望ましい。
【００３５】
以上のように、配線基板の配線パターンの一端側が位置する箇所に溝部が設けられることにより、導電性バネ部材の第２の接点部と配線パターンの一端側との接続性をより良好なものとすることができる。
【００３６】
また、本発明に係る磁気ヘッド装置は、複数の磁気ヘッドを備えることが望ましい。磁気ヘッド装置は、複数の磁気ヘッドを備えることにより、磁気テープに対して更に多くのデータを一度に記録再生することが可能となる。
【００３７】
【発明の実施の形態】
以下、本発明の実施の形態を図面を参照して説明する。なお、本発明は、記録再生速度の向上を実現することから、特に記録再生速度の向上が望まれるリニア方式の記録再生システムを用いる磁気ヘッド装置に適用することで大きな優位性を発揮するので、ここでは、リニア方式の記録再生システム用として構成された磁気ヘッド装置を例に挙げて説明するが、本発明はこの例に限定されるものではなく、例えば、ヘリカルスキャン方式の記録再生システムに用いる磁気ヘッド装置として構成されていてもよい。
【００３８】
また、ここでは、再生用磁気ヘッドとして構成される磁気抵抗効果型の磁気ヘッド素子と、記録用磁気ヘッドとして構成される磁気誘導型の磁気ヘッド素子とが積層されてなる複合型の磁気ヘッド素子を備えた磁気ヘッド装置を例に挙げて説明するが、本発明はこの例に限定されるものではなく、あらゆるタイプの磁気ヘッド素子を備えた磁気ヘッド装置に適用可能である。
【００３９】
（第１の実施の形態）
まず、本発明を適用した第１の実施の形態の磁気ヘッド装置について、図１乃至図１９を参照して説明する。
【００４０】
この第１の実施の形態の磁気ヘッド装置１は、図１乃至図３に示すように、互いに同一形状に形成された左右一対のハーフブロック２，３が、図示しないネジ部材により接合一体化されてなる。
【００４１】
左右一対のハーフブロック２，３は、それぞれ、磁気テープ１００に対してデータの記録再生を行う磁気ヘッド部１０を備えている。この磁気ヘッド部１０は、図４に示すように、摩耗特性に優れると共に磁気テープ１００に対する摺動特性が良好な材料、例えば、ＣａＯ−ＴｉＯ2−ＮｉＯ系非磁性材料等が略直方体に成形されてなるヘッド支持体１１を備えている。このヘッド支持体１１は、その長手方向が磁気テープ１００の走行方向Ａと直交し、１つの面（テープ摺動面１１ａ）が磁気テープ１００の信号記録面１０１と対向するようにフレーム４に支持されている。
【００４２】
ヘッド支持体１１のテープ摺動面１１ａと直交する一方の面１１ｂ上には、テープ摺動面１１ａ側、すなわち磁気テープ１００側に位置して、この磁気テープ１００の信号記録面１０１に一部を接触させてこの磁気テープに対してデータを書き込み、又は、この磁気テープ１００からデータを読み出す多数の磁気ヘッド素子１２が設けられている。これら多数の磁気ヘッド素子１２は、ヘッド支持体１１の長手方向、すなわち、磁気テープ１００の走行方向Ａと直交する方向である磁気テープ１００の幅方向に沿って、例えば１００μｍ程度の微小ピッチＰ１で一列に並んで配設されている。
【００４３】
このヘッド支持体１１上に形成された多数の磁気ヘッド素子１２は、図５に示すように、それぞれ、磁気テープ１００からデータを読み出すための磁気抵抗効果型の磁気ヘッド素子と磁気テープ１００に対してデータを書き込むための磁気誘導型の磁気ヘッド素子とが積層されてなる複合型の磁気ヘッド素子として構成されている。
【００４４】
また、ヘッド支持体１１のテープ摺動面１１ａと直交する一方の面１１ｂ上には、各磁気ヘッド素子１２毎にそれぞれ４つずつの接続端子部（第１の接続端子部１３，第２の接続端子部１４，第３の接続端子部１５，第４の接続端子部１６）が外部に露呈して設けられている。これら第１乃至第４の接続端子部１３，１４，１５，１６は、磁気ヘッド素子１２を図示しない外部回路に接続させるための端子部であり、第１及び第２の接続端子部１３，１４が磁気抵抗効果型の磁気ヘッド素子用の端子部として用いられ、第３及び第４の接続端子部１５，１６が磁気誘導型の磁気ヘッド素子用の端子部として用いられる。そして、これら４つの接続端子部１３，１４，１５，１６は、各磁気ヘッド素子１２毎に、磁気テープ１００の信号記録面１０１と直交する方向に沿って、ヘッド支持体１１上に所定のピッチＰ２で一列に並んで配設されている。
【００４５】
磁気ヘッド部１０は、以上のように、磁気テープ１００の幅方向に沿って配設された多数の磁気ヘッド素子１２毎に設けられた４つの接続端子部１３，１４，１５，１６を、磁気テープ１００の信号記録面１０１と直交する方向に沿って一列に並ぶように配設することにより、ヘッド支持体１１のテープ摺動面１１ａと直交する一方の面１１ｂ上の領域を効率よく利用して、隣り合う接続端子部間の間隔をできるだけ大きくするようになされている。
【００４６】
多数の磁気ヘッド素子１２毎にヘッド支持体１１上にそれぞれ設けられた第１乃至第４の接続端子部１３，１４，１５，１６には、図６に示すように、導電性に優れると共に所定の強度を有する金属線材よりなる４種類の導電性バネ部材２１，２２，２３，２４の一端側がそれぞれ当接されている。これら導電性バネ部材２１，２２，２３，２４は、図７に示すように、円形又は角形の断面を有する金属線材が、全体略Ｌ字状を呈するように折り曲げられてなる。そして、この導電性バネ部材２１，２２，２３，２４の両端部は、弾性変位が可能となるように折り返されており、この折り返された両端部が、第１の接点部２１ａ，２２ａ，２３ａ，２４ａ及び第２の接点部２１ｂ，２２ｂ，２３ｂ，２４ｂとされている。
【００４７】
４種類の導電性バネ部材２１，２２，２３，２４は、第１の接点部２１ａ，２２ａ，２３ａ，２４ａ及び第２の接点部２１ｂ，２２ｂ，２３ｂ，２４ｂの形状は同じで、これら第１の接点部２１ａ，２２ａ，２３ａ，２４ａと第２の接点部２１ｂ，２２ｂ，２３ｂ，２４ｂとの間の第１の直線部分２１ｃ，２２ｃ，２３ｃ，２４ｃの長さと、第２の直線部分２１ｄ，２２ｄ，２３ｄ，２４ｄの長さとがそれぞれ異なるように形成されている。すなわち、これら４種類の導電性バネ部材２１，２２，２３，２４は、第１の導電性バネ部材２１の第１の直線部分２１ｃの長さをＬ１とし、第２の導電性バネ部材２２の第１の直線部分２２ｃの長さをＬ２とし、第３の導電性バネ部材２３の第１の直線部分２３ｃの長さをＬ３とし、第４の導電性バネ部材２４の第１の直線部分２４ｃの長さをＬ４としたときに、Ｌ１＞Ｌ２＞Ｌ３＞Ｌ４の関係が成り立つように形成されている。また、これら４種類の導電性バネ部材２１，２２，２３，２４は、第１の導電性バネ部材２１の第２の直線部分２１ｄの長さをＬ５とし、第２の導電性バネ部材２２の第２の直線部分２２ｄの長さをＬ６とし、第３の導電性バネ部材２３の第２の直線部分２３ｄの長さをＬ７とし、第４の導電性バネ部材２４の第２の直線部分２４ｄの長さをＬ８としたときに、Ｌ５＞Ｌ６＞Ｌ７＞Ｌ８の関係が成り立つように形成されている。
【００４８】
第１の実施の形態の磁気ヘッド装置１は、これら４種類の導電性バネ部材２１，２２，２３，２４を、それぞれヘッド支持体１１上に設けられた磁気ヘッド素子１２と同じ数だけ備えている。そして、これら４種類の導電性バネ部材２１，２２，２３，２４のうち、第１の導電性バネ部材２１の第１の接点部２１ａが、各磁気ヘッド素子１２に対応した４つの接続端子部のうちの第１の接続端子部１３に当接し、第２の導電性バネ部材２２の第１の接点部２２ａが、各磁気ヘッド素子１２に対応した４つの接続端子部のうちの第２の接続端子部１４に当接し、第３の導電性バネ部材２３の第１の接点部２３ａが、各磁気ヘッド素子１２に対応した４つの接続端子部のうちの第３の接続端子部１５に当接し、第４の導電性バネ部材２４の第１の接点部２４ａが、各磁気ヘッド素子１２に対応した４つの接続端子部のうちの第４の接続端子部１６に当接している。
【００４９】
このとき、各導電性バネ部材２１，２２，２３，２４は、図８に示すように、その一端部側が第１乃至第４の接続端子部１３，１４，１５，１６側に付勢されることにより、第１の接点部２１ａ，２２ａ，２３ａ，２４ａを弾性変位させた状態で、第１乃至第４の接続端子部１３，１４，１５，１６に当接する。これにより、各導電性バネ部材２１，２２，２３，２４の第１の接点部２１ａ，２２ａ，２３ａ，２４ａと第１乃至第４の接続端子部１３，１４，１５，１６とは、所定の圧力が付与された状態で接触すると共に、接触面積が大きくなり、良好な接続状態が確保される。なお、図８においては、第１の接続端子部１３のみを図示している。
【００５０】
第１乃至第４の導電性バネ部材２１，２２，２３，２４は、それぞれ、バネホルダ３０により支持されている。バネホルダ３０は、図９に示すように、多数の磁気ヘッド素子１２に対応した多数の第１の導電性バネ部材２１を一体に支持する第１の支持部材３１と、多数の第２の導電性バネ部材２２を一体に支持する第２の支持部材３２と、多数の第３の導電性バネ部材２３を一体に支持する第３の支持部材３３と、多数の第４の導電性バネ部材２３を一体に支持する第４の支持部材３４とが積層されてなる。
【００５１】
第１乃至第４の支持部材３１，３２，３３，３４は、それぞれ、合成樹脂やガラス、セラミックス等の絶縁性に優れた材料が断面略Ｌ字状を呈する板状に成形されてなる。
【００５２】
具体的には、第１の支持部材３１は、図１０に示すように、第１の導電性バネ部材２１の第１の直線部分２１ｃの長さＬ１と略等しい長さに形成されて、この第１の直線部分２１ｃと第１の接点部２１ａとを支持する第１の支持片３１ａと、第１の導電性バネ部材２１の第２の直線部分２１ｄの長さＬ５と略等しい長さに形成されて、この第２の直線部分２１ｄと第２の接点部２１ｂとを支持する第２の支持片３１ｂとを有する。そして、第１の支持部材３１の外周側の主面部には、支持する第１の導電性バネ部材２１の数に応じた多数の溝部３５が、ヘッド支持体１１上に設けられた多数の磁気ヘッド素子１２間のピッチＰ１とほぼ等しいピッチで設けられている。第１の支持部材３１は、その外周側の主面部に設けられた多数の溝部３５内に第１の導電性バネ部材２１を個別に収納することにより、この第１の導電性バネ部材２１の第１及び第２の接点部２１ａ，２１ｂ以外の動きを規制して、隣り合う導電性バネ部材２１間の絶縁を図りながら多数の導電性バネ部材２１を一体に支持するようになされている。
【００５３】
また、第１の支持部材３１の第１の支持片３１ａの端部には、多数の溝部３５毎に、これら溝部３５内に収納された第１の導電性バネ部材２１の第１の接点部２１ａが係合される係合凹部３６がそれぞれ設けられている。第１の導電性バネ部材２１は、第１の接点部２１ａがヘッド支持体１１上に設けられた第１の接続端子部１３に当接したときに、第１の接点部２１ａがこの係合凹部３６内で弾性変位して、第１の接続端子部１３との良好な接続状態が保たれるようになされている。
【００５４】
さらに、第１の支持部材３１の第２の支持片３１ｂの端部には、多数の溝部３５毎に、これら溝部３５内に収納された第１の導電性バネ部材２１の第２の接点部２１ｂが係合される係合凹部３７がそれぞれ設けられており、第２の接点部２１ｂがこの係合凹部３７内において弾性変位することができるようになされている。
【００５５】
また、第２の支持部材３２は、第２の導電性バネ部材２２の第１の直線部分２２ｃの長さＬ２と略等しい長さに形成されて、この第１の直線部分２２ｃと第１の接点部２２ａとを支持する第１の支持片３２ａと、第２の導電性バネ部材２２の第２の直線部分２２ｄの長さＬ６と略等しい長さに形成されて、この第２の直線部分２２ｄと第２の接点部２２ｂとを支持する第２の支持片３２ｂとを有する。そして、第２の支持部材３２の外周側の主面部には、支持する第２の導電性バネ部材２２の数に応じた多数の溝部３５が、ヘッド支持体１１上に設けられた多数の磁気ヘッド素子１２間のピッチＰ１とほぼ等しいピッチで設けられている。第２の支持部材３２は、その外周側の主面部に設けられた多数の溝部３５内に第２の導電性バネ部材２２を個別に収納することにより、この第２の導電性バネ部材２２の第１及び第２の接点部２２ａ，２２ｂ以外の動きを規制して、隣り合う導電性バネ部材２２間の絶縁を図りながら多数の導電性バネ部材２２を一体に支持するようになされている。
【００５６】
また、第２の支持部材３２の第１の支持片３２ａの端部には、多数の溝部３５毎に、これら溝部３５内に収納された第２の導電性バネ部材２２の第１の接点部２２ａが係合される係合凹部３６がそれぞれ設けられている。第２の導電性バネ部材２２は、第１の接点部２２ａがヘッド支持体１１上に設けられた第２の接続端子部１４に当接したときに、第２の接点部２２ａがこの係合凹部３６内で弾性変位して、第２の接続端子部１４との良好な接続状態が保たれるようになされている。
【００５７】
さらに、第２の支持部材３２の第２の支持片３２ｂの端部には、多数の溝部３５毎に、これら溝部３５内に収納された第２の導電性バネ部材２２の第２の接点部２２ｂが係合される係合凹部３７がそれぞれ設けられており、第２の接点部２２ｂがこの係合凹部３７内において弾性変位することができるようになされている。
【００５８】
また、第３の支持部材３３は、第３の導電性バネ部材２３の第１の直線部分２３ｃの長さＬ３と略等しい長さに形成されて、この第１の直線部分２３ｃと第１の接点部２３ａとを支持する第１の支持片３３ａと、第３の導電性バネ部材２３の第２の直線部分２３ｄの長さＬ７と略等しい長さに形成されて、この第２の直線部分２３ｄと第２の接点部２３ｂとを支持する第２の支持片３３ｂとを有する。そして、第３の支持部材３３の外周側の主面部には、支持する第３の導電性バネ部材２３の数に応じた多数の溝部３５が、ヘッド支持体１１上に設けられた多数の磁気ヘッド素子１２間のピッチＰ１とほぼ等しいピッチで設けられている。第３の支持部材３３は、その外周側の主面部に設けられた多数の溝部３５内に第３の導電性バネ部材２３を個別に収納することにより、この第３の導電性バネ部材２３の第１及び第２の接点部２３ａ，２３ｂ以外の動きを規制して、隣り合う導電性バネ部材２３間の絶縁を図りながら多数の導電性バネ部材２３を一体に支持するようになされている。
【００５９】
また、第３の支持部材３３の第１の支持片３３ａの端部には、多数の溝部３５毎に、これら溝部３５内に収納された第３の導電性バネ部材２３の第１の接点部２３ａが係合される係合凹部３６がそれぞれ設けられている。第３の導電性バネ部材２３は、第１の接点部２３ａがヘッド支持体１１上に設けられた第３の接続端子部１５に当接したときに、第３の接点部２３ａがこの係合凹部３６内で弾性変位して、第３の接続端子部１５との良好な接続状態が保たれるようになされている。
【００６０】
さらに、第３の支持部材３３の第２の支持片３３ｂの端部には、多数の溝部３５毎に、これら溝部３５内に収納された第３の導電性バネ部材２３の第２の接点部２３ｂが係合される係合凹部３７がそれぞれ設けられており、第２の接点部２３ｂがこの係合凹部３７内において弾性変位することができるようになされている。
【００６１】
また、第４の支持部材３４は、第４の導電性バネ部材２４の第１の直線部分２４ｃの長さＬ４と略等しい長さに形成されて、この第１の直線部分２４ｃと第１の接点部２４ａとを支持する第１の支持片３４ａと、第４の導電性バネ部材２４の第２の直線部分２４ｄの長さＬ８と略等しい長さに形成されて、この第２の直線部分２４ｄと第２の接点部２４ｂとを支持する第２の支持片３４ｂとを有する。そして、第４の支持部材３４の外周側の主面部には、支持する第４の導電性バネ部材２４の数に応じた多数の溝部３５が、ヘッド支持体１１上に設けられた多数の磁気ヘッド素子１２間のピッチＰ１とほぼ等しいピッチで設けられている。第４の支持部材３４は、その外周側の主面部に設けられた多数の溝部３５内に第４の導電性バネ部材２４を個別に収納することにより、この第４の導電性バネ部材２４の第１及び第２の接点部２４ａ，２４ｂ以外の動きを規制して、隣り合う導電性バネ部材２４間の絶縁を図りながら多数の導電性バネ部材２４を一体に支持するようになされている。
【００６２】
また、第４の支持部材３４の第１の支持片３４ａの端部には、多数の溝部３５毎に、これら溝部３５内に収納された第４の導電性バネ部材２４の第１の接点部２４ａが係合される係合凹部３６がそれぞれ設けられている。第４の導電性バネ部材２４は、第１の接点部２４ａがヘッド支持体１１上に設けられた第４の接続端子部１６に当接したときに、第４の接点部２４ａがこの係合凹部３６内で弾性変位して、第４の接続端子部１６との良好な接続状態が保たれるようになされている。
【００６３】
さらに、第４の支持部材３４の第２の支持片３４ｂの端部には、多数の溝部３５毎に、これら溝部３５内に収納された第４の導電性バネ部材２４の第２の接点部２４ｂが係合される係合凹部３７がそれぞれ設けられており、第２の接点部２４ｂがこの係合凹部３７内において弾性変位することができるようになされている。
【００６４】
第１乃至第４の支持部材３１，３２，３３，３４は、それぞれの厚みが、磁気テープ１００の信号記録面１０１と直交する方向に沿ってヘッド支持体１１上に一列に並んで配設された第１乃至第４の接続端子部１３，１４，１５，１６間のピッチＰ２と略等しくなるように形成されている。
【００６５】
そして、第１の支持部材３１が多数の第１の導電性バネ部材２１を一体に支持し、第２の支持部材３２が多数の第２の導電性バネ部材２２を一体に支持し、第３の支持部材３３が多数の第３の導電性バネ部材２３を一体に支持し、第４の支持部材３４が多数の第４の導電性バネ部材２４を一体に支持した状態で、これら第１乃至第４の支持部材３１，３２，３３，３４が、図１１に示すように、厚み方向に積層され、これら第１乃至第４の支持部材３１，３２，３３，３４が積層されてなるバネホルダ３０により、全ての導電性バネ部材２１，２２，２３，２４が、隣り合う導電性バネ部材間の絶縁を確実に図りながら一体に支持される。
【００６６】
このとき、バネホルダ３０に支持された第１乃至第４の導電性バネ部材２１，２２，２３，２４の第１の接点部２１ａ，２２ａ，２３ａ，２４ａの分布は、ヘッド支持体１１上に配設された第１乃至第４の接続端子部１３，１４，１５，１６の分布と一致するので、バネホルダ３０に支持された全ての導電性バネ部材２１，２２，２３，２４の第１の接点部２１ａ，２２ａ，２３ａ，２４ａをヘッド支持体１１上に配設された第１乃至第４の接続端子部１３，１４，１５，１６側に同時に付勢することにより、全ての導電性バネ部材２１，２２，２３，２４を一括して第１乃至第４の接続端子部１３，１４，１５，１６に接続させることができる。
【００６７】
バネホルダ３０は、以上のように、全ての導電性バネ部材２１，２２，２３，２４を一括して第１乃至第４の接続端子部１３，１４，１５，１６に接続させた状態で、図示しないネジ部材により、バネホルダ取付板５に取り付けられている。
【００６８】
また、第１の実施の形態の磁気ヘッド装置１を構成する左右一対のハーフブロック２，３は、それぞれ、図１及び図３に示すように、一端側がバネホルダ３０に支持された第１乃至第４の導電性バネ部材２１，２２，２３，２４の第２の接点部２１ｂ，２２ｂ，２３ｂ，２４ｂに接続され、他端側が図示しない外部回路に接続される配線基板部４０を備えている。この配線基板部４０は、第１乃至第４の４枚の配線基板４１，４２，４３，４４が積層されてなる。そして、第１の配線基板４１の一端部に第１の導電性バネ部材２１の第２の接点部２１ｂが接続され、第２の配線基板４２の一端部に第２の導電性バネ部材２２の第２の接点部２２ｂが接続され、第３の配線基板４３の一端部に第３の導電性バネ部材２３の第２の接点部２３ｂが接続され、第４の配線基板４４の一端部に第４の導電性バネ部材２４の第２の接点部２４ｂが接続される構成とされている。
【００６９】
この配線基板部４０を構成する各配線基板４１，４２，４３，４４は、図１２に示すように、絶縁性に優れる基板材４５上に、それぞれ、ヘッド支持体１１上に設けられた磁気ヘッド素子１２と同じ数の配線パターン４６が形成されてなる。なお、第１乃至第４の配線基板４１，４２，４３，４４は互いに同形状とされているので、ここでは第１の配線基板４１のみを例示して説明する。
【００７０】
この配線基板４１の基板材４５は、一端部側の幅が狭く、その中途部から他端部にかけて次第に幅広となる形状に形成されている。そして、幅狭に形成された一端部上から幅広に形成された他端部上に亘って、磁気ヘッド素子１２と同じ数の配線パターン４６が設けられている。
【００７１】
基板材４５上に設けられた多数の配線パターン４６は、幅狭に形成された基板材４５の一端部上に位置する第１の端子領域４７と、幅広に形成された基板材４５の他端部上に位置する第２の端子領域４８とを有する。そして、これら多数の配線パターン４６は、第１の端子領域４７間のピッチが、ヘッド支持体１１上に設けられた多数の磁気ヘッド素子１２間のピッチＰ１、すなわち、バネホルダ３０を構成する第１の支持部材３１に支持された多数の第１の導電性バネ部材２１間のピッチとほぼ等しくされている。
【００７２】
また、これら多数の配線パターン４６は、第２の端子領域４８間のピッチが、第１の端子領域４７間のピッチよりも大となるように形成されている。この第２の端子領域４８は、例えば、ワイヤボンディング等により図示しない外部回路に電気的に接続される。この磁気ヘッド装置１においては、以上のように、隣り合う配線パターン４６の第２の端子領域４８間のピッチが大きく取られているので、外部回路との接続作業を適切且つ簡便に行うことができる。
【００７３】
また、これら多数の配線パターン４６は、図１３に示すように、各配線パターン４６に対応して基板材４５に穿設された貫通孔４９を介して、基板材４５の一方の主面４５ａ上から他方の主面４５ｂ上へと引き回されている。すなわち、各配線パターン４６は、第１の端子領域４７が基板材４５の一方の主面４５ａ上に位置し、第２の端子領域４８が基板材４５の他方の主面４５ｂ上に位置するように形成されている。
【００７４】
基板材４５の一方の主面４５ａ上には、図１４に示すように、配線パターン４６の第１の端子領域４７が形成される箇所に位置して、溝部５０が形成されている。すなわち、配線パターン４６の第１の端子領域４７は、基板材４５の一方の主面４５ａ上に形成された溝部５０の内部に形成されている。
【００７５】
以上のように構成される第１乃至第４の配線基板４１，４２，４３，４４は、第４の配線基板４４が備える基板材４５の一方の主面４５ａ上に第３の配線基板４３が備える基板材４５の他方の主面４５ｂが接合され、第３の配線基板４３が備える基板材４５の一方の主面４５ａ上に第２の配線基板４２が備える基板材４５の他方の主面４５ｂが接合され、第２の配線基板４２が備える基板材４５の一方の主面４５ａ上に第１の配線基板４１が備える基板材４５の他方の主面４５ｂが接合された状態で一体化され、配線基板部４０を構成する。このとき、第１乃至第４の配線基板４１，４２，４３，４４は、それぞれ、配線パターン４６が延在する方向に、バネホルダ３０に支持された第１乃至第４の導電性バネ部材２１，２２，２３，２４の第２の接点部２１ｂ，２２ｂ，２３ｂ，２４ｂ間の間隔とほぼ等しい距離だけずらして接合される。これにより、第１乃至第４の配線基板４１，４２，４３，４４の各配線パターン４６の第１の端子領域４７及び第２の端子領域４８が外部に露呈した状態となる。
【００７６】
第１乃至第４の配線基板４１，４２，４３，４４が備える配線パターン４６の第１の端子領域４７には、バネホルダ３０に保持された第１乃至第４の導電性バネ部材２１，２２，２３，２４の第２の接点部２１ｂ，２２ｂ，２３ｂ，２４ｂが当接する。具体的には、第１の導電性バネ部材２１の第２の接点部２１ｂが、第１の配線基板４１の備える配線パターン４６の第１の端子領域４７に当接し、第２の導電性バネ部材２２の第２の接点部２２ｂが、第２の配線基板４２の備える配線パターン４６の第１の端子領域４７に当接し、第３の導電性バネ部材２３の第２の接点部２３ｂが、第３の配線基板４３の備える配線パターン４６の第１の端子領域４７に当接し、第４の導電性バネ部材２４の第２の接点部２４ｂが、第４の配線基板４４の備える配線パターン４６の第１の端子領域４７に当接する。
【００７７】
このとき、各導電性バネ部材２１，２２，２３，２４は、図１５に示すように、第２の接点部２１ｂ，２２ｂ，２３ｂ，２４ｂが設けられた他端部側が第１乃至第４の配線基板４１，４２，４３，４４が備える配線パターン４６の第１の端子領域４７側に付勢されることにより、第２の接点部２１ｂ，２２ｂ，２３ｂ，２４ｂを弾性変位させた状態で、第１乃至第４の配線基板４１，４２，４３，４４が備える配線パターン４６の第１の端子領域４７に当接する。これにより、各導電性バネ部材２１，２２，２３，２４の第２の接点部２１ｂ，２２ｂ，２３ｂ，２４ｂと、第１乃至第４の配線基板４１，４２，４３，４４が備える配線パターン４６の第１の端子領域４７とは、所定の圧力が付与された状態で接触すると共に、接触面積が大きくなり、良好な接続状態が確保される。
【００７８】
配線基板部４０は、図１及び図３に示すように、第１乃至第４の配線基板４１，４２，４３，４４が備える配線パターン４６の第１の端子領域４７に、バネホルダ３０に保持された第１乃至第４の導電性バネ部材２１，２２，２３，２４の第２の接点部２１ｂ，２２ｂ，２３ｂ，２４ｂが当接した状態で、図示しないネジ部材により、フレーム４とバネホルダ取付板５との間に固定される。
【００７９】
第１の実施の形態の磁気ヘッド装置１を構成する左右一対のハーフブロック２，３は、以上説明したように、磁気ヘッド部１０をフレーム４に支持させると共に、第１乃至第４の導電性バネ部材２１，２２，２３，２４を支持するバネホルダ３０をバネホルダ取付板５に取り付け、フレーム４とバネホルダ取付板５との間に配線基板部４０を固定することにより完成する。このとき、磁気ヘッド部１０のヘッド支持体１１上に設けられた第１乃至第４の接続端子部１３，１４，１５，１６には、第１乃至第４の導電性バネ部材２１，２２，２３，２４の第１の接点部２１ａ，２２ａ，２３ａ，２４ａが各々当接され、配線基板部４０の備える第１乃至第４の配線基板４１，４２，４３，４４の各配線パターン４６の第１の端子領域４７には、第１乃至第４の導電性バネ部材２１，２２，２３，２４の第１の接点部２１ｂ，２２ｂ，２３ｂ，２４ｂが各々当接される。そして、配線基板部４０の備える第１乃至第４の配線基板４１，４２，４３，４４の各配線パターン４６の第２の端子領域４８は、図示しない外部回路に接続される。これにより、磁気ヘッド部１０の備える磁気ヘッド素子１２は、第１乃至第４の接続端子部１３，１４，１５，１６、第１乃至第４の導電性バネ部材２１，２２，２３，２４、第１乃至第４の配線基板４１，４２，４３，４４の各配線パターン４６を介して、図示しない外部回路に電気的に接続されることになる。
【００８０】
第１の実施の形態の磁気ヘッド装置１は、以上のように構成された左右一対のハーフブロック２，３が、互いのバネホルダ取付板５を突き合わせるように図示しないネジ部材により接合され、互いの磁気ヘッド部１０間の隙間にスペーサ部材６が配設されて完成する。
【００８１】
以上のように構成される磁気ヘッド装置１は、磁気ヘッド部１０が多数の磁気ヘッド素子１２を備え、これら多数の磁気ヘッド素子１２が磁気テープ１００の走行方向と直交する幅方向に沿って配列されているので、磁気テープ１００に対して一度に多くのトラックの記録再生を行うことが可能である。
【００８２】
また、この磁気ヘッド装置１においては、磁気ヘッド素子１２の数に応じてヘッド支持体１１上に多数設けられた第１乃至第４の接続端子部１３，１４，１５，１６間の間隔が大きくとられているので、これら多数の第１乃至第４の接続端子部１３，１４，１５，１６間の絶縁を確実に図りながら、これら多数の第１乃至第４の接続端子部１３，１４，１５，１６に第１乃至第４の導電性バネ部材２１，２２，２３，２４の第１の接点部２１ａ，２２ａ，２３ａ，２４ａを適切且つ簡便に当接させることができる。
【００８３】
また、この磁気ヘッド装置１においては、磁気ヘッド部１０の第１乃至第４の接続端子部１３，１４，１５，１６と、第１乃至第４の配線基板４１，４２，４３，４４の配線パターン４６との電気的接続ｂｚ、第１乃至第４の導電性バネ部材２１，２２，２３，２４を介して行われているので、これらを確実且つ簡便に接続することができる。
【００８４】
また、この磁気ヘッド装置１においては、第１乃至第４の導電性バネ部材２１，２２，２３，２４がバネホルダ３０により支持されることにより、各導電性バネ部材２１，２２，２３，２４間の絶縁を適切に図り、隣り合う導電性バネ部材が接触することに起因する電気的短絡を未然に防止することができる。
【００８５】
また、この磁気ヘッド装置１は、以上の相乗効果により、磁気ヘッド部１０の備える磁気ヘッド素子１２と図示しない外部回路との電気的接続を適切且つ簡便に行うことができる。
【００８６】
なお、以上は、左右一対のハーフブロック２，３の磁気ヘッド部１０をそれぞれフレーム４に支持させて、左右一対のハーフブロック２，３が接合一体化された状態で、それぞれの磁気ヘッド部１０が所定間隔を存して離れて配置される磁気ヘッド装置１を例に説明したが、この磁気ヘッド装置１は、以上の例に限定されるものではなく、例えば、図１６及び図１７に示すように、左右一対のハーフブロック２，３の磁気ヘッド部１０をそれぞれバネホルダ取付板５に支持させて、左右一対のハーフブロック２，３が接合一体化されたときに、それぞれの磁気ヘッド部１０が近接した状態とされるように構成されていてもよい。
【００８７】
また、磁気ヘッド装置１は、図１８及び図１９に示すように、左右一対のハーフブロック２，３のうちいずれか一方のハーフブロック２の磁気ヘッド部１０に記録用の磁気ヘッド素子を設け、他方のハーフブロック３の磁気ヘッド部１０に再生用の磁気ヘッド素子を設ける構成としてもよい。この場合、１つの磁気ヘッド装置１だけでは、上述した例に比べて、一度に記録再生できるトラック数が半減するので、磁気ヘッド装置１を２つ並べて、これらを接合一体化して用いるようにすることが望ましい。なお、この場合、各磁気ヘッド素子毎に設けられる接続端子部は２つずつであるので、バネホルダ３０は２つの支持部材の積層体として構成され、配線基板部４０は２つの配線基板の積層体として構成されることになる。
【００８８】
（第２の実施の形態）
次に、本発明を適用した第２の実施の形態の磁気ヘッド装置について、図２０乃至図２２を参照して説明する。なお、以下の説明において、第１の実施の形態の磁気ヘッド装置１と同様の構成については、同一の符号を付して詳細な説明を省略する。
【００８９】
この第２の実施の形態の磁気ヘッド装置６０は、図２０に示すように、基本構成を第１の実施の形態の磁気ヘッド装置１と同様とし、左右一対のハーフブロック２，３で一つのバネホルダ７０を共有する構成とされている。そして、この磁気ヘッド装置６０は、バネホルダ７０が、１つの磁気ヘッド素子１２に対応して設けられた第１乃至第４の導電性バネ部材２１，２２，２３，２４を一体に支持するように構成された多数の支持部材７１が積層されてなることを特徴点としている。すなわち、この磁気ヘッド装置６０が備えるバネホルダ７０は、図２１に示すように、各磁気ヘッド素子１２に対応して設けられた第１乃至第４の導電性バネ部材２１，２２，２３，２４を一体に支持する支持部材７１を、磁気ヘッド素子１２の数と同じ数だけ備え、これらが積層され一体化されてなる。
【００９０】
バネホルダ７０を構成する各支持部材７１は、図２２に示すように、合成樹脂やガラス、セラミックス等の絶縁性に優れた材料が全体略Ｔ字状を呈する板状に成形されてなる。
【００９１】
具体的には、この支持部材７１は、左右一対のハーフブロック２，３のうち一方のハーフブロック２の磁気ヘッド素子１２に対応して設けられた第１乃至第４の導電性バネ部材２１，２２，２３，２４を支持する第１の支持部７２と、他方のハーフブロック３の磁気ヘッド素子１２に対応して設けられた第１乃至第４の導電性バネ部材２１，２２，２３，２４を支持する第２の支持部７３とを有する。
【００９２】
そして、この支持部材７１には、第１の支持部７２と第２の支持部７３との双方に、それぞれ、第１の導電性バネ部材２１が収納される第１の溝部７４と、第２の導電性バネ部材２２が収納される第２の溝部７５と、第３の導電性バネ部材２３が収納される第３の溝部７６と、第４の導電性バネ部材２４が収納される第４の溝部７７とが、各導電性バネ部材２１，２２，２３，２４に対応した形状で設けられている。
【００９３】
この支持部材７１は、第１及び第２の支持部７２，７３にそれぞれ設けられた第１乃至第４の溝部７４，７５，７６，７７内に第１乃至第４の導電性バネ部材２１，２２，２３，２４を個別に収納することにより、隣り合う導電性バネ部材間の絶縁を図りながらこれら導電性バネ部材を一体に支持するようになされている。
【００９４】
バネホルダ７０を構成する各支持部材７１は、それぞれの厚みが、磁気テープ１００の幅方向に沿ってヘッド支持体１１上に設けられた多数の磁気ヘッド素子１２間のピッチＰ１と略等しくなるように形成されている。そして、これら多数の支持部材７１は、第１及び第２の支持部７２，７３にそれぞれ設けられた第１乃至第４の溝部７４，７５，７６，７７内に第１乃至第４の導電性バネ部材２１，２２，２３，２４を個別に収納した状態で、先に図２１に示したように、その厚み方向に順次積層される。これにより、磁気ヘッド装置６０の備える全ての導電性バネ部材２１，２２，２３，２４が、隣り合う導電性バネ部材間の絶縁を確実に図りながら、多数の支持部材７１が積層されてなるバネホルダ７０により一体に支持される。
【００９５】
このとき、バネホルダ７０に支持された第１乃至第４の導電性バネ部材２１，２２，２３，２４の第１の接点部２１ａ，２２ａ，２３ａ，２４ａの分布は、ヘッド支持体１１上に配設された第１乃至第４の接続端子部１３，１４，１５，１６の分布と一致するので、バネホルダ７０に支持された全ての導電性バネ部材２１，２２，２３，２４の第１の接点部２１ａ，２２ａ，２３ａ，２４ａをヘッド支持体１１上に配設された第１乃至第４の接続端子部１３，１４，１５，１６側に同時に付勢することにより、全ての導電性バネ部材２１，２２，２３，２４を一括して第１乃至第４の接続端子部１３，１４，１５，１６に接続させることができる。
【００９６】
また、バネホルダ７０に支持された第１乃至第４の導電性バネ部材２１，２２，２３，２４の第２の接点部２１ｂ，２２ｂ，２３ｂ，２４ｂの分布は、第１乃至第４の配線基板４１，４２，４３，４４が積層されてなる配線基板部４０の各配線パターン４６の第１の端子領域４７の分布と一致するので、バネホルダ７０に支持された全ての導電性バネ部材２１，２２，２３，２４の第２の接点部２１ｂ，２２ｂ，２３ｂ，２４ｂを配線基板部４０の各配線パターン４６の第１の端子領域４７側に同時に付勢することにより、全ての導電性バネ部材２１，２２，２３，２４を一括して配線基板部４０の各配線パターン４６の第１の端子領域４７に接続させることができる。
【００９７】
（第３の実施の形態）
ところで、上述した第１の実施の形態の磁気ヘッド装置１又は第２の実施の形態の磁気ヘッド装置６０において、ヘッド支持体１１上に設けられた磁気ヘッド素子１２の数が多くなり、各磁気ヘッド素子１２間のピッチＰ１が極めて微小なピッチになると、これに伴って、第１乃至第４の配線基板４１，４２，４３，４４が備える配線パターン４６のピッチも極めて微小なものとなる。そして、配線パターン４６のピッチが極めて微小なものとなると、配線パターン４６の形成に極めて高い精度が要求され、配線パターン４６の形成が困難になると共に、配線基板部４０を磁気ヘッド装置１に組み込む作業にも高い精度が要求され、作業が煩雑になる。
【００９８】
以上のような問題を解決し、ヘッド支持体１１上に非常に多くの磁気ヘッド素子１２を設けた場合であっても、配線パターン４６の形成を容易にし、また、配線基板部４０を磁気ヘッド装置１に組み込む作業を簡便なものとするために、第３の実施の形態の磁気ヘッド装置の配線基板部４０は、図２３乃至図２４に示すような構成とされた第１乃至第４の配線基板４１，４２，４３，４４を備える。なお、第１乃至第４の配線基板４１，４２，４３，４４は互いに同形状とされるので、ここでは第１の配線基板４１のみを図示して説明する。
【００９９】
この配線基板４１は、上述した第１の実施の形態の磁気ヘッド装置１及び第２の実施の形態の磁気ヘッド装置６０が備える配線基板と同様に、絶縁性に優れる基板材４５上に、それぞれ、ヘッド支持体１１上に設けられた磁気ヘッド素子１２と同じ数の配線パターン４６が形成されてなる。
【０１００】
具体的には、配線基板４１の基板材４５は、一端部側の幅が狭く、その中途部から他端部にかけて次第に幅広となる形状に形成されており、幅狭に形成された一端部上から幅広に形成された他端部上に亘って、磁気ヘッド素子１２と同じ数の配線パターン４６が設けられている。そして、これら多数の配線パターン４６には、幅狭に形成された基板材４５の一端部上に位置して、その一方の主面部４５ａ上に、導電性バネ部材２１の第２の接点部２１ｂが当接される第１の端子領域４７が形成され、幅広に形成された基板材４５の他端部上に位置して、その他方の主面部４５ｂ上に、図示しない外部回路と接続される第２の端子領域４８が形成されている。
【０１０１】
この第３の実施の形態の磁気ヘッド装置が備える配線基板４１においては、隣り合って形成される配線パターン４６のうちの一方が、基板材４５の一端部側に穿設された貫通孔５１を介して、基板材４５の一方の主面４５ａ上から他方の主面４５ｂ上へと引き回されている。また、この配線基板４１においては、隣り合って形成される配線パターン４６のうち他方が、基板材４５の中途部又は他端部側に穿設された貫通孔５２を介して、基板材４５の一方の主面４５ａ上から他方の主面４５ｂ上へと引き回されている。すなわち、この配線基板４１の配線パターン４６は、隣り合う配線パターン４６のうちの一方が、基板材４５の一端部側から他端部側にかけて、基板材４５の他方の主面４５ｂ上に形成され、隣り合う配線パターン４６のうちの他方が、基板材４５の一端部側からその中途部又は他端部側にかけて、基板材４５の一方の主面４５ａ上に形成されている。
【０１０２】
したがって、この配線基板４１においては、隣り合う配線パターン４６間の間隔が、上述した第１の実施の形態の磁気ヘッド装置１又は第２の実施の形態の磁気ヘッド装置６０が備える配線基板４１の配線パターン４６間の間隔よりも大きくなっている。具体的には、この配線基板４１の隣り合う配線パターン４６間の間隔は、基板材４５の貫通孔５１が穿設された箇所から貫通孔５２が穿設された箇所にかけては、第１の実施の形態の磁気ヘッド装置１又は第２の実施の形態の磁気ヘッド装置６０が備える配線基板４１の配線パターン４６間の間隔、すなわちヘッド支持体１１上に形成された磁気ヘッド素子１２間の間隔Ｐ１のほぼ２倍となっている。
【０１０３】
このように、配線パターン４６間の間隔を大きくとることにより、ヘッド支持体１１上に非常に多くの磁気ヘッド素子１２が設けられ、基板材４５上に形成される配線パターン４６の数が多くなっても、隣り合う配線パターン４６間の干渉を抑え、これら配線パターン４６間における電気的短絡を未然に防止することができる。
【０１０４】
また、配線パターン４６間の間隔が大きくされた配線基板４１を備える第３の実施の形態の磁気ヘッド装置は、ヘッド支持体１１上に非常に多くの磁気ヘッド素子１２が設けられた場合であっても、上述した第１の実施の形態の磁気ヘッド装置１又は第２の実施の形態の磁気ヘッド装置６０と比較して、配線パターン４６の形成が比較的容易であるとともに、配線基板部４０の組み込む作業が簡便に行える。
【０１０５】
なお、この第３の実施の形態の磁気ヘッド装置が備える配線基板４１においては、隣り合って形成される配線パターン４６のうち基板材４５の一方の主面４５ａ上に延在する配線パターン４６の第１の端子領域４７が、基板材４５の一端部側に穿設された貫通孔５１よりも基板材４５の他端部側に形成されていることが望ましい。このように、基板材４５の一方の主面４５ａ上に延在する配線パターン４６の第１の端子領域４７が、基板材４５の一端部側に穿設された貫通孔５１よりも基板材４５の他端部側に形成されることにより、隣り合う配線パターン４６の第１の端子領域４７間の干渉を有効に防止して、これら第１の端子領域４７間における電気的短絡を未然に防止することができる。
【０１０６】
なお、配線基板４１を以上のような構成とした場合、磁気ヘッド部１０の第１乃至第４の接続端子部１３，１４，１５，１６と、配線パターン４６の第１の端子領域４７との間の距離が、隣り合う配線パターン４６毎に異なることになるが、この場合、バネホルダ３０に支持された第１乃至第４の導電性バネ部材２１，２２，２３，２４の長さ、具体的には、第１乃至第４の導電性バネ部材２１，２２，２３，２４の第２の直線部分２１ｄ，２２ｄ，２３ｄ，２４ｄの長さＬ５，Ｌ６，Ｌ７，Ｌ８を、第１乃至第４の接続端子部１３，１４，１５，１６と配線パターン４６の第１の端子領域４７との間の距離に応じて、隣り合う配線パターン４６に接続される導電性バネ部材毎に異ならせるようにすれば、これら第１乃至第４の導電性バネ部材２１，２２，２３，２４を介して、第１乃至第４の接続端子部１３，１４，１５，１６と配線パターン４６の第１の端子領域４７とを確実に接続させることができる。
【０１０７】
【発明の効果】
本発明に係る磁気ヘッドは、ｍ個の各磁気ヘッド素子毎に設けられたｎ個の接続端子部が磁気テープの信号記録面と直交する方向に沿って配列され、ヘッド支持体上の領域が効率的に使用されるので、各接続端子部間の間隔を大きくすることができ、磁気ヘッド素子の個数が多い場合であっても、磁気ヘッド素子と外部回路との電気的接続を適切且つ簡便に行うことが可能である。
【０１０８】
また、本発明に係る磁気ヘッド装置は、磁気ヘッドの各接続端子部間の間隔が大きくされていること、磁気ヘッドの各接続端子部に導電性バネ部材の第１の接点部が当接され配線基板の配線パターンに導電性バネ部材の第２の接点部が当接されることにより各接端子部と配線パターンとが電気的に接続されていること、各導電性バネ部材がバネ支持部材に支持されこのバネ支持部材により隣り合う導電性バネ部材間の絶縁が図られていること、多数の導電性バネ部材が当接される多数の配線パターンが複数枚の配線基板に分散されて形成されていること等の相乗効果により、磁気ヘッドの備える磁気ヘッド素子と外部回路との電気的接続を適切且つ簡便に行うことができる。
【図面の簡単な説明】
【図１】本発明に係る磁気ヘッド装置の一例を示す斜視図である。
【図２】上記磁気ヘッド装置の平面図である。
【図３】上記磁気ヘッド装置の縦断面図であり、図２におけるＸ1−Ｘ2線断面図である。
【図４】上記磁気ヘッド装置が備える磁気ヘッド部の斜視図である。
【図５】図４におけるＡ部を拡大して示す斜視図である。
【図６】接続端子部に導電性バネ部材が接続されている状態を示す上記磁気ヘッド部の側面図である。
【図７】第１乃至第４の導電性バネ部材を示す側面図である。
【図８】上記導電性バネ部材の第１の接点部が、磁気ヘッド部の接続端子部に当接する様子を示す模式図である。
【図９】上記導電性バネ部材を支持するバネホルダを示す縦断面図である。
【図１０】上記バネホルダを構成する第１の支持部材の一部を拡大して示す斜視図である。
【図１１】第１乃至第４の導電性バネ部材を支持した状態を示すバネホルダの縦断面図である。
【図１２】配線基板部を構成する第１の配線基板の平面図である。
【図１３】上記第１の配線基板の断面図である。
【図１４】上記第１の配線基板の一部を拡大して示す斜視図である。
【図１５】上記導電性バネ部材の第２の接点部が、配線パターンの第１の端子領域に当接する様子を示す模式図である。
【図１６】本発明に係る磁気ヘッド装置の他の例を示す平面図である。
【図１７】上記磁気ヘッド装置の縦断面図であり、図１６におけるＸ3−Ｘ4線断面図である。
【図１８】本発明に係る磁気ヘッド装置の更に他の例を示す平面図である。
【図１９】上記磁気ヘッド装置の縦断面図であり、図１８におけるＸ5−Ｘ6線断面図である。
【図２０】本発明に係る磁気ヘッド装置の更に他の例を示す縦断面図である。
【図２１】上記磁気ヘッド装置が備えるバネホルダを示す斜視図である。
【図２２】上記バネホルダを構成する支持部材を示す斜視図である。
【図２３】本発明に係る更に他の磁気ヘッド装置が備える配線基板を示す平面図である。
【図２４】上記配線基板の断面図である。
【符号の説明】
１  磁気ヘッド装置、１０  磁気ヘッド部、１１  ヘッド支持体、１２  磁気ヘッド素子、１３  第１の接続端子部、１４  第２の接続端子部、１５  第３の接続端子部、１６  第４の接続端子部、２１  第１の導電性バネ部材、２２  第２の導電性バネ部材、２３  第３の導電性バネ部材、２４  第４の導電性バネ部材、２１ａ，２２ａ，２３ａ，２４ａ  第１の接点部、２１ｂ，２２ｂ，２３ｂ，２４ｂ  第２の接点部、３０  バネホルダ、３１  第１の支持部材、３２  第２の支持部材、３３  第３の支持部材、３４  第４の支持部材、４０  配線基板部、４１  第１の配線基板、４２  第２の配線基板、４３  第３の配線基板、４４  第４の配線基板、４５  基板材、４６  配線パターン、４７  第１の端子領域、４８  第２の端子領域、６０  磁気ヘッド装置、７０  バネホルダ、７１  支持部材、１００  磁気テープ、１０１  信号記録面
【図１】
0004206552.tif 000002
【図２】
0004206552.tif 000003
【図３】
0004206552.tif 000004
【図４】
0004206552.tif 000005
【図５】
0004206552.tif 000006
【図６】
0004206552.tif 000007
【図７】
0004206552.tif 000008
【図８】
0004206552.tif 000009
【図９】
0004206552.tif 000010
【図１０】
0004206552.tif 000011
【図１１】
0004206552.tif 000012
【図１２】
0004206552.tif 000013
【図１３】
0004206552.tif 000014
【図１４】
0004206552.tif 000015
【図１５】
0004206552.tif 000016
【図１６】
0004206552.tif 000017
【図１７】
0004206552.tif 000018
【図１８】
0004206552.tif 000019
【図１９】
0004206552.tif 000020
【図２０】
0004206552.tif 000021
【図２１】
0004206552.tif 000022
【図２２】
0004206552.tif 000023
【図２３】
0004206552.tif 000024
【図２４】
0004206552.tif 000025